(57)【要約】【課題】エレベータの回路設計に関わる作業を効率化して、作業者の負担を軽減し、顧客の物件仕様に応じた電気回路を正確に作成する。【解決手段】２次元情報検索部２２において、入力インタフェース部２１から入力された顧客の物件仕様情報に基づいて、標準図ＤＢ３４から標準的な回路図を抽出すると共に過去物件図ＤＢ３６から過去物件の回路図を抽出する。追加図面立案部２３にて必要に応じて電気回路図を追加した後、物件対応図処理部２４に与える。物件対応図処理部２４において、上記各電気回路図を用いて物件対応図を作成する共に、その物件対応図に部品図ＤＢ４２から読み出した各部品のシンボルを配置し、部品詳細情報ＤＢ４３から読み出した各部品の詳細情報を付加する。【選択図】      図１
2009048477.tif 000002
【特許請求の範囲】
【請求項１】
エレベータの電気回路の設計作業を支援するためのエレベータの電気設計支援システムであって、
顧客の物件仕様情報を入力する入力手段と、
２次元の標準図を記憶した標準図データベースと、
２次元の過去物件図を記憶した過去物件図データベースと、
上記入力手段によって入力された顧客の物件仕様情報に基づいて、上記標準図データベースから当該物件仕様に対応した標準図を検索すると共に、上記過去物件図データベースから当該物件仕様に対応した過去物件図を検索する２次元情報検索手段と、
２次元の部品図を記憶した部品図データベースと、
各部品に関する詳細情報を記憶した部品詳細情報データベースと、
上記２次元情報検索手段によって検索された標準図と過去物件図を元にして当該物件仕様に対応した電気回路を示す物件対応図を作成する共に、その物件対応図に上記部品図データベースから読み出した各部品のシンボルを配置し、上記部品詳細情報データベースから読み出した各部品の詳細情報を上記物件対応図の中の所定の場所に付加する物件対応図作成手段と
を具備したことを特徴とするエレベータの電気設計支援システム。
【請求項２】
上記物件対応図作成手段によって作成された物件対応図と上記標準図との差分回路を抽出する差分回路抽出手段と、
この差分回路抽出手段によって抽出された差分回路に基づいて、当該物件仕様に必要な追加部品のリストを作成する追加部品リスト作成手段と
を具備したことを特徴とする請求項１記載のエレベータの電気設計支援システム。
【請求項３】
上記物件対応図に付加された各部品の詳細情報に基づいて、上記物件対応図の整合性をチェックする整合性チェック手段を具備し、
上記差分回路抽出手段は、上記整合性チェック手段によって上記物件対応図の整合性が確認された場合に上記標準図との差分回路を抽出することを特徴とする請求項２記載のエレベータの電気設計支援システム。
【請求項４】
上記整合性チェック手段によって上記物件対応図が不整合であると判断された場合にその旨を警告する警告手段を具備したことを特徴とする請求項２記載のエレベータの電気設計支援システム。
【請求項５】
３次元の盤モデルを記憶した３次元盤モデルデータベースと、
上記入力手段によって入力された顧客の物件仕様情報に基づいて、上記３次元盤モデルデータベースから当該物件仕様に対応した盤モデルを検索する３次元情報検索手段と、
３次元の部品データを記憶した３次元部品データベースと、
上記追加部品リスト作成手段によって作成された追加部品リストに基づいて、上記３次元部品データベースから追加部品のデータを抽出する部品データ抽出手段と、
上記３次元情報検索手段によって検索された盤モデルに上記部品データ抽出手段によって抽出された追加部品を配置する部品配置手段と
この部品配置手段によって上記盤モデルに配置された追加部品の空間的な位置情報を示すロケーションリストを作成して、上記物件対応図作成手段にフィードバックするロケーションリスト作成手段とを具備し、
上記物件対応図作成手段は、上記ロケーションリスト作成手段によって作成されたロケーションリストを上記物件対応図に付加することを特徴とする請求項２記載のエレベータの電気設計支援システム。
【請求項６】
上記部品配置手段によって上記盤モデルに配置された追加部品の手配処理を行う手配処理手段を具備したことを特徴とする請求項５記載のエレベータの電気設計支援システム。
【発明の詳細な説明】
【技術分野】
【０００１】
本発明は、エレベータの電気回路の設計作業を支援するための電気設計支援システムに関する。
【背景技術】
【０００２】
通常、エレベータを製造する場合において、まず、顧客の物件仕様に合わせてエレベータの製造に必要な電気回路の図面を作成し、その回路図面を元にして各種作業を行う。その際、既存のシステムとしてＣＡＤ(computer aided design)システムが用いられる（例えば、特許文献１参照）。
【０００３】
ＣＡＤシステムは、コンピュータを利用して電気回路の設計などを行うためのシステムであり、コンピュータ設計支援システムとも呼ばれる。その種類は多数あり、２次元の平面で設計する「２次元ＣＡＤ」、３次元の物体で設計する「３次元ＣＡＤ」といった形式上の違いの他、目的別に機械設計に特化した機械設計専用のＣＡＤ、電気回路の設計に特化した回路設計専用のＣＡＤなどが存在する。
【特許文献１】特開２００３−３０４２３２号公報
【発明の開示】
【発明が解決しようとする課題】
【０００４】
しかしながら、上述した一般的なＣＡＤシステムでは、基本的に製図を行うだけの機器であるため、データベースから標準図や過去物件図を読み出し、それを利用して物件仕様に対応した回路図を作成することはできても、その後の作業はすべて作業者が回路図を細かくチェックしながら進めていかなければならない。したがって、作業者の負担が非常に大きく、また、チェックミスなどによって誤った回路図を作成してしまうなどの問題もあった。
【０００５】
本発明は上記のような点に鑑みなされたもので、エレベータの回路設計に関わる作業を効率化して、作業者の負担を軽減し、顧客の物件仕様に応じた電気回路を正確に作成することのできるエレベータの電気設計支援システムを提供することを目的とする。
【課題を解決するための手段】
【０００６】
本発明のエレベータの電気設計支援システムは、エレベータの電気回路の設計作業を支援するためのエレベータの電気設計支援システムであって、顧客の物件仕様情報を入力する入力手段と、２次元の標準図を記憶した標準図データベースと、２次元の過去物件図を記憶した過去物件図データベースと、上記入力手段によって入力された顧客の物件仕様情報に基づいて、上記標準図データベースから当該物件仕様に対応した標準図を検索すると共に、上記過去物件図データベースから当該物件仕様に対応した過去物件図を検索する２次元情報検索手段と、２次元の部品図を記憶した部品図データベースと、各部品に関する詳細情報を記憶した部品詳細情報データベースと、上記２次元情報検索手段によって検索された標準図と過去物件図を元にして当該物件仕様に対応した電気回路を示す物件対応図を作成する共に、その物件対応図に上記部品図データベースから読み出した各部品のシンボルを配置し、上記部品詳細情報データベースから読み出した各部品の詳細情報を上記物件対応図の中の所定の場所に付加する物件対応図作成手段とを具備したことを特徴とする。
【発明の効果】
【０００７】
本発明によれば、エレベータの回路設計に関わる作業を効率化して、作業者の負担を軽減し、顧客の物件仕様に応じた電気回路を正確に作成することができる。
【発明を実施するための最良の形態】
【０００８】
以下、図面を参照して本発明の実施形態を説明する。
【０００９】
図１は本発明の一実施形態に係るエレベータの全体構成を示す図である。なお、ここで示すエレベータは一般的な構成であり、本発明ではそのエレベータ構成に特に限定されるものではない。
【００１０】
ビルの機械室などに制御盤１１と巻上機１２が設置されている。制御盤１１は、エレベータ全体の制御を行う主制御装置として用いられる部分であり、エレベータを運転するための様々な電気回路が組み込まれている。
【００１１】
巻上機１２は、制御盤１１から出力される駆動信号を受けて回転する。この巻上機１２にはロープ１３が巻き掛けられており、そのロープ１３の一端には乗りかご１４、他端にはカウンタウェイト１５が取り付けられている。巻上機１２が回転すると、ロープ１３を介して乗りかご１４とカウンタウェイト１５が昇降路内をつるべ式に移動するようになっている。
【００１２】
また、乗りかご１４の下端にはテールコード１６が接続されている。乗りかご１４と制御盤１１との間のデータのやり取りは、このテールコード１６を介して行われる。
【００１３】
一方、各階の乗場には、乗場呼び登録装置１７が設置されており、これらの乗場呼び登録装置１７に登録された乗場呼びの信号が伝送ケーブル１８を介して制御盤１１に送られるようになっている。
【００１４】
以下では、このような構成のエレベータに用いられる電気回路を設計する場合について説明する。なお、ここで言う「電気回路」とは、制御盤１１の中に組み込まれた電気回路をはじめ、乗りかご１４や乗場呼び登録装置１７などの機器ユニットに組み込まれている電気回路全般のことを言う。また、「制御盤」，「乗りかご」，「乗場呼び登録装置」などの個々の機器ユニットのことを「盤」と呼ぶ。
【００１５】
図２はエレベータの製造作業の流れを説明するための図である。エレベータの製造作業は、大別すると、入力部１、図面設計部２、パーツ手配部３、製造部４、試験部５、据付部６に分けられる。
【００１６】
入力部１は、支社店などから送られてくる顧客の物件仕様を示す情報を入力する。図面設計部２は、入力部１から入力された顧客の物件仕様情報を元に電気回路図の設計を行う。パーツ手配部３は、電気的な製造に必要な部品（リレーやトランスなどの回路素子）の手配を行う。製造部４は、図面設計部２にて設計された電気回路図に従って盤の製造を行う。試験部５は、製造部４にて製造された盤の電気的な試験を行う。据付部６は、製造部４にて製造された盤の据え付けを行う。
【００１７】
ここで、本発明のエレベータの電気設計支援システムは、上述した製造工程の中の図面設計部２に用いられるものである。この電気設計支援システムは、２次元ＣＡＤと３次元ＣＡＤを融合した多機能型のＣＡＤシステムからなり、顧客の物件仕様に対応した電気回路図の作成機能の他に、追加部品のリストを作成する機能、さらに、その追加部品の位置情報を３次元ＣＡＤから取得することで、物件対応図に反映させて電気接続図を作成する機能、追加部品を手配する機能などを備える。
【００１８】
以下に、その具体的に構成について詳しく説明する。  
図３は同実施形態におけるエレベータの電気設計支援システムの全体構成を示すブロック図である。
【００１９】
本実施形態におけるエレベータの電気設計支援システムは、入力インタフェース部２１を備える。また、この電気設計支援システムは、２次元ＣＡＤ系の構成として、２次元情報検索部２２、追加図面立案部２３、物件対応図処理部２４、電気接続図作成部２５を備えると共に、３次元ＣＡＤ系の構成として、３次元情報検索部２６、３次元追加部品処理部２７、手配処理部２８を備える。
【００２０】
入力インタフェース部２１は、入力部１から顧客の物件仕様情報を入力し、２次元情報検索部２２および３次元情報検索部２６に与える。
【００２１】
２次元ＣＡＤ系において、２次元情報検索部２２は、顧客の物件仕様情報に基づいて２次元の回路図を検索する部分であり、物件情報比較部３１、類似図面抽出部３２、抽出ルール格納部３３を有する。
【００２２】
物件情報比較部３１は、入力インタフェース部２１を通じて入力された顧客の物件仕様情報と過去物件情報データベース（過去物件情報ＤＢ）３５に記憶された過去の物件情報とを比較し、標準図または過去物件図で当該物件の仕様を満足するか否かを判断する。標準図または過去物件図で満足する場合には、物件情報比較部３１は、その適合図面を試験部５と据付部６へ送る。一方、類似仕様で対応する可能であれば、物件情報比較部３１は、類似図面抽出部３２にその旨を指示する。
【００２３】
なお、「標準図」とは、標準的な電気回路の図面のことである。「過去物件図」とは、過去に依頼のあった物件の電気回路の図面のことである。標準図データベース３４には、２次元で構成された標準図が多数記憶されている。過去物件図データベース３６には、２次元で構成された過去物件図が多数記憶されている。
【００２４】
類似図面抽出部３２は、抽出ルール格納部３３に格納された所定のルールに従って、過去物件図データベース（過去物件図ＤＢ）３６から当該物件仕様に対応した類似の過去物件図を抽出すると共に、標準図データベース（標準図ＤＢ）３４から当該物件仕様に対応した標準図を抽出し、これらの電気回路の図面を追加図面立案部２３へ送る。
【００２５】
この場合、標準図データベース３４から抽出された標準図を便宜的に「Ａ」とし、過去物件図データベース３６から抽出された過去物件図を便宜的に「Ｂ」と表現すると、「Ａ」と「Ｂ」の電気回路図が追加図面立案部２３に与えられることになる。
【００２６】
追加図面立案部２３は、作業者の操作により、顧客の物件仕様に合わせて電気回路図を適宜追加する部分である。この追加図面立案部２３によって追加された電気回路図を「Ｃ」とすると、「Ａ」と「Ｂ」の電気回路図が物件対応図処理部２４に与えられることになる。
【００２７】
物件対応図処理部２４は、ＣＡＤ操作による電気回路の作成部分に相当し、物件対応図作成部３７、整合性チェック部３８、警告部３９、差分回路抽出部４０、追加部品リスト作成部４１を有する。
【００２８】
物件対応図作成部３７は、作業者の指示に従って、類似図面抽出部３２にて抽出された標準図「Ａ」と過去物件図「Ｂ」、そして、必要に応じて追加図面立案部２３にて追加された図面「Ｃ」を用いて、顧客の物件対応図を作成する。
【００２９】
その際、物件対応図作成部３７は、部品図データベース（部品図ＤＢ）４２から抽出した各部品のシンボルを物件対応図上に配置すると共に、その物件対応図の所定の場所に部品詳細情報データベース（部品詳細情報ＤＢ）４３から抽出した各部品の詳細情報（部品の手配コード等）を付加する。なお、上記シンボルとは、回路素子の記号などのことである。また、上記詳細情報を付加する場所は、例えば物件対応図の右下などである。
【００３０】
整合性チェック部３８は、物件対応図作成部３７によって作成された物件対応図の整合性をチェックする。これは、上記各部品の詳細情報を用いて行う。
【００３１】
例えば、物件対応図に配置された部品の接続線が上記詳細情報から得られる物理的に配線可能な本数を超えている場合には不整合と判断される。不整合と判断されると、警告部３９によって警告が出される。このときの警告方法としては、例えば該当する部分を強調表示したり、音声でその旨を警告するなどの方法がある。本発明は、これらの方法に特に限定されるものではない。
【００３２】
整合性チェック部３８にて物件対応図の整合性が確認されると、差分回路抽出部４０は、物件対応図作成部３７にて作成された物件対応図と標準図との差分回路を抽出する。追加部品リスト作成部４１は、この差分回路抽出部４０にて抽出された差分回路に基づいて、当該物件仕様に必要な追加部品のリストを作成し、これを３次元追加部品処理部２７へ送る。
【００３３】
今、標準図を「Ａ」、過去物件図を「Ｂ」、追加図面を「Ｃ」として、物件対応図作成部３７にて物件対応図「Ａ＋Ｂ＋Ｃ」が作成されたとすると、差分回路抽出部４０では、「Ｂ＋Ｃ」を差分回路として抽出することになる。追加部品リスト作成部４１では、この差分回路「Ｂ＋Ｃ」上の各部品を追加部品としてリストを作成する。
【００３４】
電気接続図作成部２５は、盤内接続図作成部４４と盤外接続図作成部４５とからなる。盤内接続図作成部４４は、物件対応図作成部３７にて作成された物件対応図と後述するロケーションリストに基づいて盤内接続図を作成する。盤外接続図作成部４５は、物件対応図作成部３７にて作成された物件対応図と後述するロケーションリストに基づいて盤外接続図を作成する。
【００３５】
上述したように、「盤」とは、「制御盤」，「乗りかご」，「乗場呼び登録装置」などの個々の機器ユニットのことである。ここで、「盤内接続図」はそのユニット内部の電気回路の接続図、「盤外」はそのユニット外部の電気回路の接続図のことを言う。例えば、図１の制御盤１１であれば、その制御盤１１の内部が「盤内」、制御盤１１の外部であるテールコード１６や伝送ケーブル１８などが「盤外」になる。
【００３６】
物件対応図作成部３７にて作成された物件対応図は、試験部５と据付部６へ送られる。また、盤内接続図作成部４４にて作成された盤内接続図は製造部４へ送られ、盤外接続図作成部４５にて作成された盤外接続図は試験部５へ送られる。
【００３７】
図４に物件対応図の一例、図５に盤内接続図の一例、図６に盤外接続図の一例を示す。なお、図中のＡ，Ｂ，Ｃは、標準図「Ａ」、過去物件図「Ｂ」、追加図面「Ｃ」に対応している。また、ＨＩＢとは、ホール・インジゲータ・ボタンの略語であり、図１の乗場呼び登録装置１７に対応している。
【００３８】
一方、３次元ＣＡＤ系において、３次元情報検索部２６は、顧客の物件仕様に対応した３次元の盤モデルを検索する部分であり、類似盤モデル抽出部５１を有する。
【００３９】
類似盤モデル抽出部５１は、３次元盤モデルデータベース（３次元盤モデルＤＢ）５２から顧客の物件仕様に対応した３次元の盤モデルを抽出し、これを３次元追加部品処理部２７へ送る。３次元盤モデルデータベース５２には、３次元の盤モデルが多数記憶されている。
【００４０】
３次元追加部品処理部２７は、追加部品を部品の空間的な位置情報を含む３次元データで処理する部分であり、部品データ抽出部５３、部品配置部５４、ロケーションリスト作成部５５を有する。
【００４１】
部品データ抽出部５３は、上記物件対応図処理部２４の追加部品リスト作成部４１にて作成された追加部品リストに基づいて、３次元部品データベース（３次元部品ＤＢ）５６から当該リスト上の各部品の３次元データを抽出する。３次元部品データベース５６には、各種部品が３次元の形式で記憶されている。
【００４２】
部品配置部５４は、類似盤モデル抽出部５１にて抽出された３次元の盤モデルに、部品データ抽出部５３にて抽出された３次元データからなる各部品を配置する。ロケーションリスト作成部５５は、部品配置部５４による配置された各部品の空間的な位置情報を示すロケーションリストを作成し、これを物件対応図処理部２４の物件対応図作成部３７にフィードバックする。
【００４３】
このロケーションリストにより、各部品の空間的な位置を把握できるようになる。物件対応図作成部３７では、このロケーションリストを物件対応図に付加して電気接続図作成部２５へ送る。
【００４４】
手配処理部２８は、部品配置部５４にて３次元の盤モデル上に配置された各部品の手配処理を行う部分であり、手配リスト作成部５７を有する。手配リスト作成部５７は、３次元の盤モデル上に配置された各部品の手配リストを作成し、これをパーツ手配部３へ送る。
【００４５】
また、この手配処理部２８には、組立図作成部５８とパネル図作成部５９が設けられている。組立図作成部５８は、３次元の盤モデル上に配置された各部品に基づいて組立図を作成し、これを製造部４へ送る。パネル図作成部５９は、３次元の盤モデル上に配置された各部品に基づいてパネル図（回路基板図）を作成し、これを製造部４へ送る。
【００４６】
図７に手配リストの一例、図８に組立図（盤単位）の一例、図９にパネル図の一例を示す。なお、図中のＡ，Ｂ，Ｃは、標準図「Ａ」、過去物件図「Ｂ」、追加図面「Ｃ」に対応している。また、ＨＩＢとは、ホール・インジゲータ・ボタンの略語であり、図１の乗場呼び登録装置１７に対応している。
【００４７】
次に、同実施形態の動作について説明する。  
図１０は同実施形態におけるエレベータの電気設計支援システムの処理の流れを示すフローチャートである。
【００４８】
エレベータの電気回路を設計するに際し、まず、入力部１を通じて顧客の物件仕様情報を入力する（ステップＳ１１）。この顧客の物件仕様情報は、図３に示した２次元情報検索部２２と３次元情報検索部２６に与えられる。２次元情報検索部２２では、標準図データベース３４、過去物件情報データベース３５、過去物件図データベース３６を参照して、顧客の物件仕様に対応した標準図と過去物件図を検索する（ステップＳ１２）。
【００４９】
ここで、標準図と過去物件図だけで顧客の物件仕様を満足できる場合には（ステップＳ１３のＮｏ）、既存の電気回路図にて対応することができるため、特に何もせずに、ここでの処理を終える。
【００５０】
一方、標準図と過去物件図では顧客の物件仕様を満足できない場合、つまり、これらの電気回路図を加工して新たに作成する必要がある場合には（ステップＳ１３のＹｅｓ）、追加図面立案部２３にて追加図面を立案して、標準図と過去物件図と共に物件対応図処理部２４に送る（ステップＳ１４）。
【００５１】
物件対応図処理部２４では、標準図と過去物件図と追加図面からなる電気回路図に、部品図データベース４２および部品詳細情報データベース４３から抽出した各部品のシンボルと詳細情報を挿入することで、顧客用の物件対応図を作成する（ステップＳ１５）。
【００５２】
この場合、標準図を「Ａ」、過去物件図を「Ｂ」、追加図面を「Ｃ」とすれば、物件対応図としては、「Ａ＋Ｂ＋Ｃ」からなる電気回路図に各部品のシンボルと詳細情報を付加したものが作成されることになる。
【００５３】
次に、物件対応図処理部２４は、作成した物件対応図の整合性をチェックする（ステップＳ１６）。その結果、例えば部品の接続線が物理的に配線可能な本数を超えている場合には不整合と判断して、警告部３９を通じて警告を出す。この警告により、作業者は物件対応図の不備を把握でき、製造工程に入る前に回路図を作成し直すことができる。
【００５４】
物件対応図の整合性が確認されると、物件対応図処理部２４は、物件対応図と標準図とを比較して差分回路を抽出する（ステップＳ１８）。上記の例で言えば、「Ｂ＋Ｃ」が差分回路に相当する。物件対応図処理部２４は、この差分回路に基づいて当該物件仕様に必要な追加部品のリストを作成する（ステップＳ１８）。ここで作成された追加部品リストは、３次元追加部品処理部２７に与えられる。
【００５５】
また、物件対応図処理部２４は、３次元追加部品処理部２７から追加部品のロケーション情報を取得することにより（ステップＳ１９）、物件対応図にその追加部品のロケーション情報を付加して電気接続図作成部２５に与える。これにより、電気接続図作成部２５において、盤内と盤外に関する電気接続図がそれぞれ作成される（ステップＳ２０，Ｓ２１）。
【００５６】
一方、３次元情報検索部２６では、顧客の物件仕様に対応した３次元の盤モデルを３次元盤モデルデータベース５２から検索し、これを３次元追加部品処理部２７に与える（ステップＳ２２）。
【００５７】
３次元追加部品処理部２７では、物件対応図処理部２４から追加部品リストを取得することにより（ステップＳ２３）、その追加部品リスト上の各部品の３次元データを３次元部品データベース５６から抽出して上記３次元の盤モデルに配置する（ステップＳ２４）。そして、この３次元の盤モデルにおける各部品の位置情報に基づいて、各部品の空間的な位置情報を示すロケーションリストを作成し、これを物件対応図処理部２４にフィードバックする（ステップＳ２５）。
【００５８】
また、３次元追加部品処理部２７は、３次元の盤モデルに追加部品を配置した図を手配処理部２８に与える。これにより、手配処理部２８において、追加部品の手配リストが作成されると共に（ステップＳ２６）、組立図およびパネル図の作成が行われる（ステップＳ２７，Ｓ２８）。
【００５９】
以上のように本システムによれば、データベースに登録された標準図と過去物件図を利用して物件対応図を簡単に作成することができる。また、その後の作業として、例えば物件対応図の整合性チェックや、過去物件図と標準図との差分から当該物件仕様に必要な追加部品を特定するなどの製造工程に関わる一連の作業を効率的に行うことができる。
【００６０】
これにより、作業員が各工程の作業を個々に独立して手作業的に行っていた従来システムに比べ、作業員の負担が大幅に軽減されると共に、人為的なミスを防いで、顧客の物件仕様に応じた電気回路を正確に作成することができる。
【００６１】
さらには、３次元ＣＡＤとの融合により、各部品の配置を３次元データで捉えることができ、その３次元データを利用して電気接続図の作成処理や、部品手配などの処理を円滑に行うことができる。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００６３】
【図１】図１は本発明の一実施形態に係るエレベータの構成を示す図である。
【図２】図２は同実施形態におけるエレベータの製造作業の流れを説明するための図である。
【図３】図３は同実施形態におけるエレベータの電気設計支援システムの全体構成を示すブロック図である。
【図４】図４は同実施形態におけるエレベータの電気設計支援システムの物件対応図の一例を示す図である。
【図５】図５は同実施形態におけるエレベータの電気設計支援システムの盤内接続図の一例を示す図である。
【図６】図６は同実施形態におけるエレベータの電気設計支援システムの盤外接続図の一例を示す図である。
【図７】図７は同実施形態におけるエレベータの電気設計支援システムの手配リストの一例を示す図である。
【図８】図８は同実施形態におけるエレベータの電気設計支援システムの組立図の一例を示す図である。
【図９】図９は同実施形態におけるエレベータの電気設計支援システムのパネル図の一例を示す図である。
【図１０】図１０は同実施形態におけるエレベータの電気設計支援システムの処理の流れを示すフローチャートである。
【符号の説明】
【００６４】
１…入力部、２…図面設計部、３…パーツ手配部、４…製造部、５…試験部、６…据付部、１１…制御盤、１２…巻上機、１３…ロープ、１４…乗りかご、１５…カウンタウェイト、１６…テールコード、１７…乗場呼び登録装置、１８…伝送ケーブル、２１…入力インタフェース部、２２…２次元情報検索部、２３…追加図面立案部、２４…物件対応図処理部、２５…電気接続図作成部、２６…３次元情報検索部、２７…３次元追加部品処理部、２８…手配処理部、３１…物件情報比較部、３２…類似図面抽出部、３３…抽出ルール格納部、３４…標準図データベース、３５…過去物件情報データベース、３６…過去物件図データベース、３７…物件対応図作成部、３８…整合性チェック部、３９…警告部、４０…差分回路抽出部、４１…追加部品リスト作成部、４２…部品図データベース、４２…部品図データベース、４３…部品詳細情報データベース、４４…盤内接続図作成部、４４５…盤外接続図作成部、５１…類似盤モデル抽出部、５２…３次元盤モデルデータベース、５３…部品データ抽出部、５４…部品配置部、５５…ロケーションリスト作成部、５５６…３次元部品データベース、５７…手配リスト作成部、５８…組立図作成部、５９…パネル図作成部。
【図１】
2009048477.tif 000003
【図２】
2009048477.tif 000004
【図３】
2009048477.tif 000005
【図４】
2009048477.tif 000006
【図５】
2009048477.tif 000007
【図６】
2009048477.tif 000008
【図７】
2009048477.tif 000009
【図８】
2009048477.tif 000010
【図９】
2009048477.tif 000011
【図１０】
2009048477.tif 000012